(57)【特許請求の範囲】
【請求項１】
無線通信信号を送受信するために用いられるアンテナと、
無線通信の要求に応じて、ウェイクアップさせる無線装置の識別情報をマンチェスター符号化する演算手段と、
前記マンチェスター符号化された識別情報を用いてオン／オフ制御信号を生成し、その生成したオン／オフ制御信号を前記無線通信に用いる周波数を有するキャリア信号に乗算してウェイクアップ信号を生成する信号生成手段と、
前記無線通信に用いる周波数からなるチャネル上でキャリアセンスを行い、前記チャネルがアイドル状態である場合、前記ウェイクアップ信号を前記アンテナを用いて送信する送信手段とを備え、
前記送信手段は、前記オン／オフ制御信号におけるオフ期間に対応する前記ウェイクアップ信号のオフ期間が前記チャネルのアイドル状態を判断するための最短時間よりも短くなる伝送レートで前記ウェイクアップ信号を送信する、端末装置。
【請求項２】
前記信号生成手段は、前記無線通信に用いる周波数帯における中心周波数に対して前記中心周波数よりも高周波数側および低周波数側へ周波数を拡散させて前記キャリア信号を生成し、その生成したキャリア信号に前記オン／オフ制御信号を乗算してウェイクアップ信号を生成する、請求項１に記載の端末装置。
【請求項３】
無線通信信号を送受信するために用いられるアンテナと、
前記アンテナを用いて前記無線通信信号を端末装置と送受信するとともに、一定期間、前記端末装置と無線通信が行われないときスリープ状態へ移行する無線通信手段と、
前記無線通信信号の送受信に用いる周波数を有するチャネル上で前記アンテナを介して電波を受信する受信手段と、
前記受信手段によって受信された受信電波が前記無線通信信号および当該無線装置を識別するための第１の識別情報をマンチェスター符号化して生成されたウェイクアップ信号のいずれであるかを識別する識別手段と、
前記受信電波が前記ウェイクアップ信号である場合、前記受信電波を復号して得られた第２の識別情報が前記第１の識別情報に一致するか否かを判定し、前記第２の識別情報が前記第１の識別情報に一致するとき、前記スリープ状態へ移行した無線通信手段を起動する判定手段とを備え、
前記ウェイクアップ信号は、前記マンチェスター符号化された前記第１の識別情報を用いて生成されたオン／オフ制御信号におけるオフ期間に対応する前記ウェイクアップ信号のオフ期間が前記チャネルのアイドル状態を判断するための最短時間よりも短くなる伝送レートで端末装置から送信される、無線装置。
【請求項４】
演算を行うとともに、前記無線通信手段が、一定期間、無線通信を行わないとき前記スリープ状態へ移行する演算手段と、
当該無線装置をネットワークに接続するとともに、前記無線通信手段が、一定期間、無線通信を行わないとき前記スリープ状態へ移行するネットワーク接続手段とを更に備え、
前記判定手段は、前記第２の識別情報が前記第１の識別情報に一致するとき、前記スリープ状態へ移行した演算手段およびネットワーク接続手段を更に起動する、請求項３に記載の無線装置。
【請求項５】
前記識別手段は、前記受信電波を包絡線検波し、その包絡線検波した包絡線の強度を複数のタイミングで検出し、その検出した複数の強度を量子化し、その量子化した複数の量子化値のうち、隣接する２つの量子化値の排他的論理和を演算する処理を前記複数の量子化値の全てについて実行し、前記複数の量子化値について前記排他的論理和の平均値を演算し、その演算した平均値が閾値以上であるとき、前記受信電波が前記ウェイクアップ信号であると識別する、請求項３または請求項４に記載の無線装置。
【請求項６】
前記識別手段は、前記受信電波を包絡線検波し、その包絡線検波した包絡線の強度を複数のタイミングで検出し、その検出した複数の強度のうち、隣接する２つの強度の一方に−１を乗算した乗算結果と、前記隣接する２つの強度の他方に１を乗算した乗算結果との和の絶対値を量子化する処理を前記複数の強度の全てについて実行し、その量子化した複数の量子化値の平均値を演算し、その演算した平均値が閾値以上であるとき、前記受信電波が前記ウェイクアップ信号であると識別する、請求項３または請求項４に記載の無線装置。
【請求項７】
前記識別手段は、前記受信電波を包絡線検波し、その包絡線検波した包絡線の強度を複数のタイミングで検出し、その検出した複数の強度のうち、隣接する２つの強度の一方に−１を乗算した乗算結果と、前記隣接する２つの強度の他方に１を乗算した乗算結果との和の絶対値を演算する処理を前記複数の強度の全てについて実行し、その演算した複数の絶対値の平均値を演算し、その演算した平均値が閾値以上であるとき、前記受信電波が前記ウェイクアップ信号であると識別する、請求項３または請求項４に記載の無線装置。
【請求項８】
前記判定手段は、前記第２の識別情報が前記第１の識別情報に一致すると判定し、前記識別手段によって前記受信電波が前記ウェイクアップ信号であると識別されると、前記スリープ状態へ移行した無線通信手段を少なくとも起動する、請求項３から請求項７のいずれか１項に記載の無線装置。
【請求項９】
前記判定手段は、前記識別手段によって前記受信電波が前記ウェイクアップ信号であると識別されると、起動し、前記第２の識別情報が前記第１の識別情報に一致するか否かを判定し、前記第２の識別情報が前記第１の識別情報に一致するとき、前記スリープ状態へ移行した無線通信手段を少なくとも起動する、請求項３から請求項７のいずれか１項に記載の無線装置。
【請求項１０】
端末装置と、
前記端末装置と無線通信を行う無線装置とを備え、
前記端末装置は、請求項１または請求項２に記載の端末装置からなり、
前記無線装置は、請求項３から請求項９のいずれか１項に記載の無線装置からなる、無線通信システム。
【請求項１１】
端末装置と、
ネットワークに接続されるとともにメッシュ状に配置され、前記端末装置と無線通信を行なう複数のアクセスポイントとを備え、
前記端末装置は、請求項１または請求項２に記載の端末装置からなり、
前記複数のアクセスポイントの各々は、
請求項３から請求項９のいずれか１項に記載の無線装置の構成に加えてウェイクアップ信号送信機を更に含み、
前記ウェイクアップ信号送信機は、請求項１または請求項２に記載の端末装置の前記演算手段と前記信号生成手段と前記送信手段とからなり、
前記端末装置は、前記無線通信を開始するとき、前記複数のアクセスポイントのうちの１つのアクセスポイントへ前記ウェイクアップ信号を送信し、
前記１つのアクセスポイントは、前記端末装置からの前記ウェイクアップ信号に応じて起動し、
前記１つのアクセスポイント以外のアクセスポイントは、前記１つのアクセスポイントまたは自己よりも前記１つのアクセスポイント側に位置するアクセスポイントからの前記ウェイクアップ信号に応じて起動する、無線通信システム。
【発明の詳細な説明】
【技術分野】
【０００１】
この発明は、端末装置、それと無線通信を行う無線装置、およびそれらを備えた無線通信システムに関するものである。
【背景技術】
【０００２】
無線ＬＡＮ（Ｌｏｃａｌ  Ａｒｅａ  Ｎｅｔｗｏｒｋ）は、家庭やオフィスなどで広く使われている。無線ＬＡＮが普及するとともに、多くのアクセスポイント（ＡＰ）が設置されるが、これらのＡＰは、たとえ、通信データが発生しなくても、通常、電源がオンされたままで使用される。
【０００３】
このような、“つけっぱなし”になっているＡＰが過半数の時間で使用されていないため、電力は、無駄に消費される。
【０００４】
センサーネットワークでは、ウェイクアップ受信機を用いて通信が必要となっているときだけ、データの送信先をウェイクアップする手法が検討されている。
【０００５】
非特許文献１では、無線ＬＡＮカードよりも低い電力を消費する８０２．１５．４sensor motesを用いて同じ周波数である無線ＬＡＮチャネルを観測し、送信元からの電波を検知すると、自端末の無線ＬＡＮカードをウェイクアップする手法が提案されている。
【０００６】
また、特許文献１，２および非特許文献２では、より低い電力を消費するウェイクアップ受信機を用いて無線ＬＡＮカードをウェイクアップする手法が提案されている。
【０００７】
更に、特許文献１，２および非特許文献２では、ウェイクアップ信号の周波数が無線ＬＡＮの周波数と異なるので、２つのアンテナが必要である。
【０００８】
更に、特許文献３では、ＩＳＭ  ｂａｎｄでのＦＣＣ規制（帯域規制）を満足するように、信号の包絡線を変更せずに周波数拡散を行なう周波数拡散手法が提案されている。
【先行技術文献】
【特許文献】
【０００９】
【特許文献１】特表２００７−５２６６５５号公報
【特許文献２】国際公開第０４／１００５０３号パンフレット
【特許文献３】米国特許出願公開第２００７／０２５３４６８号明細書
【非特許文献】
【００１０】
【非特許文献１】Nilesh Mishra, Kameswari Chebrolu, Bhaskaran Raman, Abhinav Pathak, Wakeon WLAN, WWW 2006.
【非特許文献２】石田繁己、鈴木誠、森戸貴、森川博之，低受信待機電力無線通信のための多段ウェイクアップ機構，IEICE technical report, information networks 107(525), 355-360, 2008-02-28.
【発明の概要】
【発明が解決しようとする課題】
【００１１】
しかし、無線ＬＡＮによる信号とウェイクアップ信号とを１つのアンテナで送信する場合、ウェイクアップ信号の誤検知をどのように抑制するかが大きな問題となる。
【００１２】
そこで、この発明は、かかる問題を解決するためになされたものであり、その目的は、ウェイクアップ信号の誤検知を抑制可能な端末装置を提供することである。
【００１３】
また、この発明の別の目的は、ウェイクアップ信号の誤検知を抑制可能な無線装置を提供することである。
【００１４】
更に、この発明の別の目的は、ウェイクアップ信号の誤検知を抑制可能な端末装置および無線装置を備える無線通信システムを提供することである。
【課題を解決するための手段】
【００１５】
この発明の実施の形態によれば、端末装置は、アンテナと、演算手段と、信号生成手段と、送信手段とを備える。アンテナは、無線通信信号を送受信するために用いられる。演算手段は、無線通信の要求に応じて、ウェイクアップさせる無線装置の識別情報をマンチェスター符号化する。信号生成手段は、マンチェスター符号化された識別情報を用いてオン／オフ制御信号を生成し、その生成したオン／オフ制御信号を無線通信に用いる周波数を有するキャリア信号に乗算してウェイクアップ信号を生成する。送信手段は、無線通信に用いる周波数からなるチャネル上でキャリアセンスを行い、チャネルがアイドル状態である場合、ウェイクアップ信号をアンテナを用いて送信する。そして、送信手段は、オン／オフ制御信号におけるオフ期間に対応するウェイクアップ信号のオフ期間がチャネルのアイドル状態を判断するための最短時間よりも短くなる伝送レートでウェイクアップ信号を送信する。
【００１６】
また、この発明の実施の形態によれば、無線装置は、アンテナと、無線通信手段と、受信手段と、識別手段と、判定手段とを備える。アンテナは、無線通信信号を送受信するために用いられる。無線通信手段は、アンテナを用いて無線通信信号を端末装置と送受信するとともに、一定期間、端末装置と無線通信が行われないときスリープ状態へ移行する。受信手段は、無線通信信号の送受信に用いる周波数を有するチャネル上でアンテナを介して電波を受信する。識別手段は、受信手段によって受信された受信電波が無線通信信号および当該無線装置を識別するための第１の識別情報をマンチェスター符号化して生成されたウェイクアップ信号のいずれであるかを識別する。判定手段は、受信電波がウェイクアップ信号である場合、受信電波を復号して得られた第２の識別情報が第１の識別情報に一致するか否かを判定し、第２の識別情報が第１の識別情報に一致するとき、スリープ状態へ移行した無線通信手段を起動する。
【００１７】
更に、この発明の実施の形態によれば、無線通信システムは、端末装置と、無線装置とを備える。無線装置は、端末装置と無線通信を行う。端末装置は、請求項１または請求項２に記載の端末装置からなり、無線装置は、請求項３から請求項９のいずれか１項に記載の無線装置からなる。
【発明の効果】
【００１８】
この発明の実施の形態による端末装置においては、無線通信の要求に応じて、ウェイクアップさせる無線装置の識別情報をマンチェスター符号化し、マンチェスター符号化された識別情報を用いて生成されたオン／オフ制御信号にキャリア信号を乗算してウェイクアップ信号が生成される。そして、ウェイクアップ信号は、チャネルがアイドル状態である場合、ウェイクアップ信号のオフ期間がチャネルのアイドル状態を判断するための最短時間よりも短くなる伝送レートで送信される。その結果、ウェイクアップ信号のオフ期間は、最長でも、オン／オフ制御信号において２個の“０”が連続する期間になり、ウェイクアップ信号の送信途中において、ウェイクアップ信号以外の信号が送信されることはなく、ウェイクアップ信号は、ウェイクアップさせる無線装置へ正確に伝送される。また、ウェイクアップされる無線装置は、ウェイクアップ信号からなる電波を正確に受信し、端末装置から送信されたウェイクアップ信号を検知する。
【００１９】
従って、ウェイクアップ信号の誤検知を抑制できる。
【００２０】
また、この発明の実施の形態による無線装置は、受信電波に基づいてウェイクアップ信号と無線ＬＡＮによる信号とを識別し、受信電波がウェイクアップ信号からなると識別した場合にウェイクアップ信号を検知する。
【００２１】
従って、無線装置において、ウェイクアップ信号の誤検知を抑制できる。
【００２２】
更に、この発明の実施の形態による無線通信システムは、上述した端末装置と無線装置とを備える。その結果、ウェイクアップ信号は、他の無線ＬＡＮによる信号と同時に送信されることはなく、ウェイクアップさせる無線装置へ正確に伝送される。また、ウェイクアップされる無線装置は、ウェイクアップ信号からなる電波を正確に受信し、端末装置から送信されたウェイクアップ信号を検知する。
【００２３】
従って、ウェイクアップ信号の誤検知を抑制できる。
【図面の簡単な説明】
【００２４】
【図１】この発明の実施の形態による無線通信システムの概略図である。
【図２】図１に示す端末装置の構成図である。
【図３】図２に示すウェイクアップ信号送信機の構成図である。
【図４】図１に示すアクセスポイントの構成図である。
【図５】図４に示すウェイクアップ信号受信機の構成図である。
【図６】ウェイクアップ信号を生成する方法を説明するための概念図である。
【図７】受信電波の包絡線の概念図である。
【図８】ウェイクアップ信号と無線ＬＡＮによる信号との概念図である。
【図９】図１に示す無線通信システムにおける動作を説明するためのフローチャートである。
【図１０】図４に示すウェイクアップ信号受信機の他の構成図である。
【図１１】図１に示す無線通信システムの動作を説明するための他のフローチャートである。
【図１２】この発明の実施の形態による他の無線通信システムの概略図である。
【図１３】図１２に示すアクセスポイントの構成図である。
【発明を実施するための形態】
【００２５】
本発明の実施の形態について図面を参照しながら詳細に説明する。なお、図中同一または相当部分には同一符号を付してその説明は繰返さない。
【００２６】
図１は、この発明の実施の形態による無線通信システムの概略図である。図１を参照して、この発明の実施の形態による無線通信システム１００は、端末装置１０と、無線装置であるアクセスポイント２０とを備える。
【００２７】
端末装置１０は、無線ＬＡＮの通信方式に従ってアクセスポイント２０と無線通信を行う。そして、端末装置１０は、アクセスポイント２０からビーコンフレームを受信しないとき、アクセスポイント２０がスリープ状態であると判定する。その後、端末装置１０は、無線通信を開始する場合、後述する方法によってウェイクアップ信号をアクセスポイント２０へ送信し、アクセスポイント２０を起動する。
【００２８】
アクセスポイント２０は、有線ケーブル４０によってネットワーク３０に接続される。そして、アクセスポイント２０は、端末装置１０とネットワーク３０との間で通信を中継する。より具体的には、アクセスポイント２０は、端末装置１０から通信データを受信し、その受信した通信データを有線ケーブル４０を介してネットワーク３０へ送信する。また、アクセスポイント２０は、有線ケーブル４０を介してネットワーク３０から通信データを受信し、その受信した通信データを無線通信によって端末装置１０へ送信する。
【００２９】
アクセスポイント２０は、一定期間、端末装置１０からパケットを受信しないとき、スリープ状態へ移行する。そして、アクセスポイント２０は、スリープ状態において端末装置１０から電波を受信すると、後述する方法によって、その受信電波がウェイクアップ信号であるか無線ＬＡＮによる信号であるかを識別し、受信電波がウェイクアップ信号であり、ウェイクアップ信号に含まれる識別情報が自己の識別情報と一致するとき、スリープ状態から起動状態へ移行する。その後、アクセスポイント２０は、端末装置１０とネットワーク３０との間で通信を中継する。
【００３０】
図２は、図１に示す端末装置１０の構成図である。図２を参照して、端末装置１０は、アンテナ１１と、ウェイクアップ信号送信機１２と、無線ＬＡＮカード１３と、ＣＰＵ（Ｃｅｎｔｒａｌ  Ｐｒｏｃｅｓｓｉｎｇ  Ｕｎｉｔ）／表示部１４と、電源１５とを備える。
【００３１】
ウェイクアップ信号送信機１２および無線ＬＡＮカード１３は、アンテナ１１に接続される。
【００３２】
ウェイクアップ信号送信機１２は、電源１５から供給される電力によって駆動される。ウェイクアップ信号送信機１２は、アクセスポイント２０をウェイクアップさせるための指示信号Ｗｕｐを無線ＬＡＮカード１３から受けると、後述する方法によって、無線ＬＡＮによる信号の周波数（＝２．４ＧＨｚ帯の周波数）と同じ周波数を有するウェイクアップ信号ＷＫを生成し、その生成したウェイクアップ信号ＷＫをアンテナ１１を介してアクセスポイント２０へ送信する。
【００３３】
無線ＬＡＮカード１３は、電源１５から供給される電力によって駆動される。無線ＬＡＮカード１３は、アクセスポイント２０からビーコンフレームを定期的に受信する。そして、無線ＬＡＮカード１３は、ビーコンフレームに含まれる各種の情報に基づいてアクセスポイント２０との間で無線通信経路を確立し、アンテナ１１を介してアクセスポイント２０と無線通信を行う。より具体的には、無線ＬＡＮカード１３は、アクセスポイント２０から端末装置１０宛てのパケットを受信し、その受信したパケットをＣＰＵ／表示部１４へ出力する。また、無線ＬＡＮカード１３は、アクセスポイント２０宛てのパケットをＣＰＵ／表示部１４から受け、その受けたパケットをアンテナ１１を介してアクセスポイント２０へ送信する。
【００３４】
また、無線ＬＡＮカード１３は、アクセスポイント２０からビーコンフレームを受信しないとき、アクセスポイント２０がスリープ状態であると判定する。その後、無線ＬＡＮカード１３は、アクセスポイント２０と無線通信を開始するとき、アクセスポイント２０をウェイクアップさせるための指示信号Ｗｕｐを生成してウェイクアップ信号送信機１２へ出力する。
【００３５】
ＣＰＵ／表示部１４は、電源１５から供給された電力によって駆動される。ＣＰＵ／表示部１４は、無線ＬＡＮカード１３からパケットを受け、その受けたパケットの種類に応じて、パケットの内容を視覚情報として端末装置１０のユーザに与える。
【００３６】
また、ＣＰＵ／表示部１４は、アクセスポイント２０宛てのパケットを生成し、その生成したパケットを無線ＬＡＮカード１３へ出力する。
【００３７】
図３は、図２に示すウェイクアップ信号送信機１２の構成図である。図３を参照して、ウェイクアップ信号送信機１２は、ＩＤ生成手段１２１と、演算手段１２２と、オン／オフ制御手段１２３と、周波数拡散手段１２４と、乗算器１２５と、増幅手段１２６と、送信手段１２７とを備える。
【００３８】
ＩＤ生成手段１２１は、無線ＬＡＮカード１３から指示信号Ｗｕｐを受けると、例えば、アクセスポイント２０のＭＡＣ（Ｍｅｄｉａ  Ａｃｃｅｓｓ  Ｃｏｎｔｒｏｌ）アドレスのハッシュ値を演算し、アクセスポイント２０の識別情報ＩＤ２０を生成する。そして、ＩＤ生成手段１２１は、その生成した識別情報ＩＤ２０を演算手段１２２へ出力する。
【００３９】
演算手段１２２は、ＩＤ生成手段１２１から受けた識別情報ＩＤ２０をマンチェスター符号化し、そのマンチェスター符号化した識別情報ＩＤ２０をオン／オフ制御手段１２３へ出力する。
【００４０】
オン／オフ制御手段１２３は、マンチェスター符号化された識別情報ＩＤ２０に基づいて、オン／オフ制御信号を生成し、その生成したオン／オフ制御信号を乗算器１２５へ出力する。
【００４１】
周波数拡散手段１２４は、後述する方法によって、無線ＬＡＮによる信号の送受信に用いる周波数帯において周波数を拡散してキャリア信号を生成し、その生成したキャリア信号を乗算器１２５へ出力する。
【００４２】
乗算器１２５は、オン／オフ制御手段１２３から受けたオン／オフ制御信号と周波数拡散手段１２４から受けたキャリア信号とを乗算してウェイクアップ信号ＷＫを生成し、その生成したウェイクアップ信号ＷＫを増幅手段１２６へ出力する。
【００４３】
増幅手段１２６は、ウェイクアップ信号ＷＫを増幅して送信手段１２７へ出力する。送信手段１２７は、ウェイクアップ信号ＷＫを送信するためのチャネル上でキャリアセンスを行い、チャネルから受けたエネルギーが閾値ＲＳＳＩ＿ｔｈ以下である場合、チャネルがアイドル状態であると判定し、ウェイクアップ信号ＷＫをアンテナ１１を介してアクセスポイント２０へ送信する。なお、閾値ＲＳＳＩ＿ｔｈは、例えば、−９０ｄＢｍに設定される。
【００４４】
このように、端末装置１０は、１つのアンテナ１１を用いて、無線ＬＡＮによる信号を送受信するとともに、無線ＬＡＮによる信号と同じ周波数を有するウェイクアップ信号ＷＫを送信する。
【００４５】
図４は、図１に示すアクセスポイント２０の構成図である。図４を参照して、アクセスポイント２０は、アンテナ２１と、無線ＬＡＮカード２２と、ＣＰＵ２３と、ネットワーク接続カード２４と、電源２５，２６と、ウェイクアップ信号受信機２７とを含む。
【００４６】
無線ＬＡＮカード２２およびウェイクアップ信号受信機２７は、アンテナ２１に接続される。
【００４７】
無線ＬＡＮカード２２は、電源２５から電力を供給されると、起動する。そして、無線ＬＡＮカード２２は、ビーコンフレームを定期的に送信する。無線ＬＡＮカード２２は、端末装置１０との間で無線通信経路が確立されると、アンテナ２１を介して無線通信によって端末装置１０からパケットを受信し、その受信したパケットをＣＰＵ２３へ出力する。また、無線ＬＡＮカード２２は、ＣＰＵ２３からパケットを受け、その受けたパケットをアンテナ２１を介して無線通信によって端末装置１０へ送信する。
【００４８】
更に、無線ＬＡＮカード２２は、一定期間、端末装置１０からパケットを受信しないとき、電源２５からの電力が停止されることによってスリープ状態へ移行する。そして、無線ＬＡＮカード２２は、スリープ状態へ移行した後、電源２５から電力を供給されると、起動し、アンテナ２１を介して端末装置１０との間で無線通信を行う。
【００４９】
ＣＰＵ２３は、電源２５から電力を供給されると、起動する。そして、ＣＰＵ２３は、無線ＬＡＮカード２２からパケットを受け、その受けたパケットをネットワーク接続カード２４へ出力する。また、ＣＰＵ２３は、ネットワーク接続カード２４からパケットを受け、その受けたパケットを無線ＬＡＮカード２２へ出力する。
【００５０】
更に、ＣＰＵ２３は、一定期間、無線ＬＡＮカード２２を介して端末装置１０からパケットを受けないとき、電力の供給を停止するための指示信号ＰＯＦＦを生成して電源２５へ出力する。そして、ＣＰＵ２３は、電源２５から電力を供給されなくなると、スリープ状態へ移行する。その後、ＣＰＵ２３は、電源２５から電力を供給されると、起動し、上述したパケットの中継を無線ＬＡＮカード２２と、ネットワーク接続カード２４との間で行う。
【００５１】
ネットワーク接続カード２４は、電源２５から電力を供給されると、起動する。そして、ネットワーク接続カード２４は、ＣＰＵ２３から受けたパケットを有線ケーブル４０を介してネットワーク３０へ送信する。また、ネットワーク接続カード２４は、有線ケーブル４０を介してネットワーク３０からパケットを受信し、その受信したパケットをＣＰＵ２３へ出力する。
【００５２】
更に、ネットワーク接続カード２４は、電源２５から電力を供給されなくなると、スリープ状態へ移行する。その後、ネットワーク接続カード２４は、電源２５から電力を供給されると、起動する。
【００５３】
電源２５は、無線ＬＡＮカード２２、ＣＰＵ２３およびネットワーク接続カード２４に電力を供給する。そして、電源２５は、ＣＰＵ２３から指示信号ＰＯＦＦを受けると、無線ＬＡＮカード２２、ＣＰＵ２３およびネットワーク接続カード２４への電力の供給を停止する。その後、電源２５は、ウェイクアップ信号受信機２７からウェイクアップ指示信号Ｗｕ＿ｃｏｍｄを受けると、電力を無線ＬＡＮカード２２、ＣＰＵ２３およびネットワーク接続カード２４に供給する。
【００５４】
電源２６は、ウェイクアップ信号受信機２７に電力を供給する。ウェイクアップ信号受信機２７は、アンテナ２１を介して電波を受信し、その受信した受信電波がウェイクアップ信号ＷＫであるか無線ＬＡＮによる信号であるかを後述する方法によって識別する。
【００５５】
そして、ウェイクアップ信号受信機２７は、受信電波がウェイクアップ信号ＷＫであると識別したとき、受信電波を復号して得られた識別情報がアクセスポイント２０の識別情報に一致するか否かを判定する。
【００５６】
ウェイクアップ信号受信機２７は、受信電波を復号して得られた識別情報がアクセスポイント２０の識別情報に一致すると判定したとき、ウェイクアップ指示信号Ｗｕ＿ｃｏｍｄを生成して電源２５へ出力する。
【００５７】
このように、アクセスポイント２０は、１つのアンテナ２１を用いて、無線ＬＡＮによる信号を送受信するとともに、無線ＬＡＮによる信号と同じ周波数を有するウェイクアップ信号ＷＫを受信する。
【００５８】
なお、この発明の実施の形態においては、「スリープ状態」とは、無線ＬＡＮカード２２、ＣＰＵ２３およびネットワーク接続カード２４が電源２５から電力を供給されていない状態であり、ウェイクアップ信号受信機２７が電源２６から電力を供給されている状態である。即ち、「スリープ状態」とは、無線ＬＡＮカード２２が端末装置１０との間で無線通信を行うことができず、ネットワーク接続カード２４がネットワーク３０と通信できないが、ウェイクアップ信号受信機２７が端末装置１０からウェイクアップ信号ＷＫを受信できる状態を言う。
【００５９】
図５は、図４に示すウェイクアップ信号受信機２７の構成図である。図５を参照して、ウェイクアップ信号受信機２７は、ＢＰＦ（Ｂａｎｄ  Ｐａｓｓ  Ｆｉｌｔｅｒ）２７１と、包絡線検波手段２７２と、タイミング設定手段２７３と、Ａ／Ｄ変換器２７４と、識別手段２７５と、判定手段２７６とを含む。
【００６０】
ＢＰＦ２７１は、アンテナ２１を介して電波を受信し、その受信した受信電波からウェイクアップ信号ＷＫの周波数を有する信号を抽出する。そして、ＢＰＦ２７１は、その抽出した信号を包絡線検波手段２７２へ出力する。
【００６１】
包絡線検波手段２７２は、ＢＰＦ２７１から受けた信号の包絡線を検波し、包絡線からなる信号（以下、「包絡線信号ＥＶＬ」と言う）をタイミング設定手段２７３へ出力する。
【００６２】
タイミング設定手段２７３は、包絡線信号ＥＶＬを包絡線検波手段２７２から受け、その受けた包絡線信号ＥＶＬに基づいて、包絡線信号ＥＶＬをサンプリングするサンプリングタイミングを設定し、そのサンプリングタイミングを設定した包絡線信号ＥＶＬをＡ／Ｄ変換器２７４へ出力する。
【００６３】
Ａ／Ｄ変換器２７４は、サンプリングタイミングが設定された包絡線信号ＥＶＬをタイミング設定手段２７３から受け、その受けた包絡線信号ＥＶＬに設定されたサンプリングタイミングで包絡線信号ＥＶＬをサンプリングし、サンプリング値を得る。そして、Ａ／Ｄ変換器２７４は、各サンプリング値をアナログ信号からデジタル信号に変換し、その変換したデジタル信号を識別手段２７５および判定手段２７６へ出力する。
【００６４】
識別手段２７５は、Ａ／Ｄ変換器２７４から受けたデジタル信号に基づいて、後述する方法によって、受信電波がウェイクアップ信号ＷＫであるか無線ＬＡＮによる信号であるかを識別し、その識別結果を判定手段２７６へ出力する。
【００６５】
判定手段２７６は、Ａ／Ｄ変換器２７４から受けたデジタル信号によって表される識別情報がアクセスポイント２０の識別情報に一致するか否かを判定する。そして、判定手段２７６は、識別手段２７５によって受信電波がウェイクアップ信号ＷＫであると識別されたことを示す信号を識別手段２７５から受け、かつ、Ａ／Ｄ変換器２７４から受けたデジタル信号によって表される識別情報がアクセスポイント２０の識別情報に一致すると判定したとき、ウェイクアップ指示信号Ｗｕ＿ｃｏｍｄを生成し、その生成したウェイクアップ指示信号Ｗｕ＿ｃｏｍｄを電源２５へ出力する。
【００６６】
図６は、ウェイクアップ信号ＷＫを生成する方法を説明するための概念図である。図６を参照して、ウェイクアップ信号送信機１２のＩＤ生成手段１２１は、無線ＬＡＮカード１３から指示信号Ｗｕｐを受けると、アクセスポイント２０のＭＡＣアドレスのハッシュ値を演算し、その演算したハッシュ値をウェイクアップＩＤ＝１１００１とする（（ａ）参照）。
【００６７】
そして、演算手段１２２は、ウェイクアップＩＤ＝１１００１をＩＤ生成手段１２１から受け、その受けたウェイクアップＩＤ＝１１００１をマンチェスター符号化し、ビット列“０１０１１０１００１”を得る。即ち、演算手段１２２は、“１”を“０１”に変換し、“０”を“１０”に変換してウェイクアップＩＤ＝１１００１からビット列“０１０１１０１００１”を得る（（ｂ）参照）。
【００６８】
オン／オフ制御手段１２３は、演算手段１２２からビット列“０１０１１０１００１”を受け、その受けたビット列“０１０１１０１００１”に基づいてオン／オフを制御し、オン／オフ制御信号ＳＳを生成する（（ｃ）参照）。
【００６９】
一方、周波数拡散手段１２４は、チャープ拡散スペクトルＣＳＳ（（ｄ）参照）に従って、２．４１２ＧＨｚを中心周波数として、中心周波数よりも高周波側および中心周波数よりも低周波数側へ周波数を拡散してキャリア信号ＣＹＳ（（ｅ）参照）を生成する。
【００７０】
乗算器１２５は、オン／オフ制御手段１２３からオン／オフ制御信号ＳＳを受け、周波数拡散手段１２４からキャリア信号ＣＹＳを受ける。そして、乗算器１２５は、キャリア信号ＣＹＳにオン／オフ制御信号ＳＳを乗算してウェイクアップ信号ＷＫを生成する（（ｆ）参照）。
【００７１】
ウェイクアップ信号ＷＫにおいて、期間Ｔ１は、オン／オフ制御信号ＳＳにおける連続した２個の“０”に対応する期間である。
【００７２】
送信手段１２７は、オン／オフ制御信号ＳＳにおけるオフ期間（連続した２個の“０”に相当する期間）に対応するウェイクアップ信号ＷＫのオフ期間Ｔ１がＩＥＥＥ８０２．１１による通信方式におけるＰＩＦＳ（ｐｏｉｎｔ  ｃｏｏｒｄｉｎａｔｉｏｎ  ｆｕｎｃｔｉｏｎ  ｉｎｔｅｒｆｒａｍｅ  ｓｐａｃｅ）よりも短くなるように伝送レートを決定し、その決定した伝送レートを用いてウェイクアップ信号ＷＫを送信する。
【００７３】
このＰＩＦＳは、ＩＥＥＥ８０２．１１による通信方式において、チャネルがアイドル状態であるか否かを判定する時間のうちで最短の時間である。従って、この発明の実施の形態においては、送信手段１２７は、オン／オフ制御信号ＳＳにおけるオフ期間（連続した２個の“０”に相当する期間）に対応するウェイクアップ信号ＷＫのオフ期間Ｔ１がＩＥＥＥ８０２．１１による通信方式における最短のアイドル判定時間よりも短くなるように伝送レートを決定し、その決定した伝送レートを用いてウェイクアップ信号ＷＫを送信することを特徴とする。
【００７４】
この特徴により、送信手段１２７がウェイクアップ信号ＷＫを送信している途中に、他の端末装置またはアクセスポイントが無線ＬＡＮによる信号を送信することはなく、ウェイクアップ信号ＷＫをアクセスポイント２０へ正確に伝送できる。
【００７５】
上述したように、ウェイクアップＩＤ＝１１００１をマンチェスター符号化することは、ウェイクアップＩＤ＝１１００１の“１”を“０１”に変換し、ウェイクアップＩＤ＝１１００１の“０”を“１０”に変換することに相当する。
【００７６】
その結果、ウェイクアップＩＤ＝１１００１をマンチェスター符号化して得られたビット列“０１０１１０１００１”において、連続する“０”の個数の最大値は、“２”である。
【００７７】
従って、オン／オフ制御信号ＳＳにおけるオフ期間（連続した２個の“０”に相当する期間）に対応するウェイクアップ信号ＷＫのオフ期間Ｔ１がＩＥＥＥ８０２．１１による通信方式における最短のアイドル判定時間よりも短くなるように伝送レートを決定すれば、ウェイクアップ信号ＷＫの送信途中に無線ＬＡＮによる信号が送信されるのを回避できる。
【００７８】
また、チャープ拡散スペクトルＣＳＳに従って周波数を拡散してキャリア信号ＣＹＳを生成するのは、送信波のスペクトル密度および帯域幅が無線通信規制を満足するように設定するためである。これによって、ウェイクアップ信号ＷＫの他の信号への影響を抑制できる。
【００７９】
図７は、受信電波の包絡線の概念図である。図７を参照して、ウェイクアップ信号受信機２７の包絡線検波手段２７２は、ＢＰＦ２７１からの信号を包絡線検波し、包絡線信号ＥＶＬを得る。
【００８０】
そして、タイミング設定手段２７３は、包絡線信号ＥＶＬをサンプリングするためのサンプリングタイミングｔ１〜ｔ１０を包絡線信号ＥＶＬに設定する。Ａ／Ｄ変換器２７４は、サンプリングタイミングｔ１〜ｔ１０で包絡線信号ＥＶＬをサンプリングし、そのサンプリング値を量子化して包絡線信号ＥＶＬをデジタル信号に変換する。
【００８１】
図８は、ウェイクアップ信号と無線ＬＡＮによる信号との概念図である。図８を参照して、ウェイクアップ信号ＷＫの包絡線信号ＥＶＬのサンプリング値は、“０”に近い値と、“１”に近い値によって表される（（ａ）参照）。
【００８２】
一方、無線ＬＡＮによる信号の包絡線信号ＥＶＬのサンプリング値は、任意の値によって表され、連続的にオフになる時間があまりない。
【００８３】
そこで、識別手段２７５は、受信電波がウェイクアップ信号ＷＫであるか無線ＬＡＮによる信号であるかを次の方法によって識別する。
【００８４】
（識別方法１）
ウェイクアップ信号ＷＫは、プリアンブル／データの構成からなる。そして、プリアンブルの長さは、Ｎビットである。Ｎは、システムパラメータであり、例えば、５である。プリアンブルは、既知のビット列であり、データと同様にマンチェスター符号化されている。
【００８５】
図７に示すサンプリングタイミングｔ１〜ｔ１０におけるサンプリング値をそれぞれｘ（１）〜ｘ（１０）とする。そして、サンプリング値ｘ（１）〜ｘ（１０）における隣接する２つのサンプリング値ｘ（１），ｘ（２）；ｘ（３），ｘ（４）；ｘ（５），ｘ（６）；ｘ（７），ｘ（８）；ｘ（９），ｘ（１０）をｘ（２ｎ−１），ｘ（２ｎ）とする。ｎは、１以上の整数である。
【００８６】
識別手段２７５は、サンプリング値ｘ（２ｎ−１），ｘ（２ｎ）を量子化したときの量子化値／ｘ（２ｎ−１），／ｘ（２ｎ）を次式に代入して／ｘ（２ｎ−１）と／ｘ（２ｎ）との排他的論理和ｙ１（ｎ）を演算する。
【００８７】
【数１】
0005391460.tif 000002
【００８８】
なお、表記／ｘは、サンプリング値ｘの量子化値を表し、“／”は、式（１）においてｘの上側に配置された“＾”と同じである。
【００８９】
受信電波がウェイクアップ信号ＷＫからなる場合、図７から明らかであるように、２つの量子化値／ｘ（２ｎ−１），／ｘ（２ｎ）のうち、一方は、“１”であり、他方は、“０”である。
【００９０】
従って、受信電波がウェイクアップ信号ＷＫからなる場合、／ｘ（２ｎ−１）と／ｘ（２ｎ）との排他的論理和ｙ１（ｎ）は、熱雑音が無い限り、必ず、“１”になる。
【００９１】
識別手段２７５は、全ての量子化値／ｘ（２ｎ−１）と量子化値／ｘ（２ｎ）について排他的論理和ｙ１（ｎ）を演算すると、その演算した排他的論理和ｙ１（ｎ）を次式に代入して平均値ＭＣＲを演算する。
【００９２】
【数２】
0005391460.tif 000003
【００９３】
図７に示す場合、５個の排他的論理和ｙ１（ｎ）が演算され、Ｎは、“５”である。そして、５個の排他的論理和ｙ１（ｎ）の各々は、上述したように“１”である。従って、受信電波がウェイクアップ信号ＷＫからなる場合、平均値ＭＣＲは、“１”になる。
【００９４】
そこで、識別手段２７５は、平均値ＭＣＲが閾値ｃ（０＜ｃ＜１、例えば、０．５）以上であれば、受信電波がウェイクアップ信号ＷＫであると識別し、平均値ＭＣＲが閾値ｃよりも小さければ、受信電波が無線ＬＡＮによる信号であると識別する。
【００９５】
（識別方法２）
識別手段２７５は、Ａ／Ｄ変換器２７４からサンプリング値ｘ（２ｎ−１），ｘ（２ｎ）を受け、その受けたサンプリング値ｘ（２ｎ−１），ｘ（２ｎ）を次式に代入してｙ２（ｎ）を演算する。
【００９６】
【数３】
0005391460.tif 000004
【００９７】
そして、識別手段２７５は、ｙ２（ｎ）の絶対値｜ｙ２（ｎ）｜を演算し、その演算した絶対値｜ｙ２（ｎ）｜を量子化し、量子化値／ｙ２（ｎ）を得る。
【００９８】
そうすると、識別手段２７５は、量子化値／ｙ２（ｎ）を次式に代入して平均値ＳＭＣＲを演算する。
【００９９】
【数４】
0005391460.tif 000005
【０１００】
図７に示すように、２つのサンプリング値ｘ（２ｎ−１），ｘ（２ｎ）のうち、一方は、“１”に近い値からなり、他方は、“０”に近い値からなるので、ｙ２（ｎ）は、“１”または“−１”に近い値からなる。
【０１０１】
そして、量子化値／ｙ２（ｎ）は、ｙ２（ｎ）の絶対値｜ｙ２（ｎ）｜を量子化したものであるので、熱雑音が無い限り、必ず、“１”になる。その結果、受信電波がウェイクアップ信号ＷＫである場合、平均値ＳＭＣＲも“１”になる。
【０１０２】
従って、識別手段２７５は、平均値ＳＭＣＲが閾値ｃ以上であれば、受信電波がウェイクアップ信号ＷＫであると識別し、平均値ＳＭＣＲが閾値ｃよりも小さければ、受信電波が無線ＬＡＮによる信号であると識別する。
【０１０３】
（識別方法３）
識別手段２７５は、式（３）を用いてｙ２（ｎ）を演算し、その演算したｙ２（ｎ）を次式に代入して平均値ＭＳＭＣＲを演算する。
【０１０４】
【数５】
0005391460.tif 000006
【０１０５】
上述したように、ｙ２（ｎ）は、“１”または“−１”に近い値からなる。そして、平均値ＭＳＭＣＲは、ｙ２（ｎ）の絶対値｜ｙ２（ｎ）｜の平均値である。その結果、受信電波がウェイクアップ信号ＷＫである場合、平均値ＭＳＭＣＲは、“１”に近い値からなる。
【０１０６】
従って、識別手段２７５は、平均値ＭＳＭＣＲが閾値ｃ以上であれば、受信電波がウェイクアップ信号ＷＫであると識別し、平均値ＭＳＭＣＲが閾値ｃよりも小さければ、受信電波が無線ＬＡＮによる信号であると識別する。
【０１０７】
識別手段２７５は、上述した識別方法１〜識別方法３のいずれかの方法を用いて受信電波がウェイクアップ信号ＷＫであるか無線ＬＡＮによる信号であるかを識別する。そして、識別手段２７５は、識別方法１を用いる場合、Ａ／Ｄ変換器２７４からデジタル値（＝量子化値／ｘ（２ｎ−１），／ｘ（２ｎ））を受け、識別方法２または識別方法３を用いる場合、Ａ／Ｄ変換器２７４からサンプリング値ｘ（２ｎ−１），ｘ（２ｎ）を受ける。
【０１０８】
判定手段２７６は、次の２つの方法のいずれかを用いて識別情報を復号する。
【０１０９】
（復号方法１）
判定手段２７６は、ハードデコーディングを行い、量子化値／ｘ（２ｎ−１），／ｘ（２ｎ）からビットを算出する。即ち、判定手段２７６は、量子化値／ｘ（２ｎ−１），／ｘ（２ｎ）をＡ／Ｄ変換器２７４から受ける。そして、判定手段２７６は、量子化値／ｘ（２ｎ−１）が“０”であり、かつ、量子化値／ｘ（２ｎ）が“１”である場合、ウェイクアップＩＤのｎ番目のビットを“１”とする。また、判定手段２７６は、量子化値／ｘ（２ｎ−１）が“１”であり、かつ、量子化値／ｘ（２ｎ）が“０”である場合、ウェイクアップＩＤのｎ番目のビットを“０”とする。更に、判定手段２７６は、それ以外の場合、受信エラーとする。
【０１１０】
（復号方法２）
判定手段２７６は、ソフトデコーディングを行い、式（３）におけるｙ２（ｎ）からビットを算出する。即ち、判定手段２７６は、サンプリング値ｘ（２ｎ−１），ｘ（２ｎ）をＡ／Ｄ変換器２７４から受ける。そして、判定手段２７６は、サンプリング値ｘ（２ｎ−１），ｘ（２ｎ）を式（３）に代入してｙ２（ｎ）を算出する。その後、判定手段２７６は、ｙ２（ｎ）＞０であれば、ウェイクアップＩＤのｎ番目のビットを“１”とする。また、判定手段２７６は、ｙ２（ｎ）≦０であれば、ウェイクアップＩＤのｎ番目のビットを“０”とする。
【０１１１】
図９は、図１に示す無線通信システム１００における動作を説明するためのフローチャートである。なお、図９においては、アクセスポイント２０がスリープ状態であることを前提として無線通信システム１００における動作を説明する。
【０１１２】
図９を参照して、一連の動作が開始されると、端末装置１０の無線ＬＡＮカード１３は、ウェイクアップ信号送信機１２に対してウェイクアップ信号ＷＫの送信指示Ｗｕｐを出す（ステップＳ１）。
【０１１３】
そして、端末装置１０のウェイクアップ信号送信機１２は、上述した方法によって、ウェイクアップＩＤを生成し、その生成したウェイクアップＩＤをマンチェスター符号化する（ステップＳ２）。
【０１１４】
その後、端末装置１０のウェイクアップ信号送信機１２は、ウェイクアップＩＤをマンチェスター符号化したビット列に基づいて、オン／オフ制御信号ＳＳを生成する（ステップＳ３）。
【０１１５】
また、端末装置１０のウェイクアップ信号送信機１２は、チャープ拡散スペクトルＣＳＳを用いて周波数の拡散制御を行い、キャリア信号ＣＹＳを生成する（ステップＳ４）。
【０１１６】
そうすると、端末装置１０のウェイクアップ信号送信機１２は、キャリア信号ＣＹＳにオン／オフ制御信号ＳＳを乗算してウェイクアップ信号ＷＫを生成し（ステップＳ５）、ウェイクアップ信号ＷＫを増幅する（ステップＳ６）。
【０１１７】
そして、端末装置１０のウェイクアップ信号送信機１２は、チャネル上でキャリアセンスを行い（ステップＳ７）、チャネルがアイドル状態であるか否かを判定する（ステップＳ８）。
【０１１８】
ステップＳ８において、チャネルがアイドル状態でないと判定されたとき、一連の動作は、ステップＳ７へ戻り、ステップＳ７，Ｓ８が繰り返し実行される。
【０１１９】
そして、ステップＳ８において、チャネルがアイドル状態であると判定されると、端末装置１０のウェイクアップ信号送信機１２は、ウェイクアップ信号ＷＫのオフ期間が無線通信方式（ＩＥＥＥ８０２．１１）における最短のアイドル判定時間（例えばＰＩＦＳ）よりも短くなる伝送レートで電波をアンテナ１１を介して送信する（ステップＳ９）。
【０１２０】
アクセスポイント２０のウェイクアップ信号受信機２７は、端末装置１０からアンテナ２１を介して電波を受信し（ステップＳ１０）、ＢＰＦをかける（ステップＳ１１）。
【０１２１】
そして、アクセスポイント２０のウェイクアップ信号受信機２７は、受信電波の包絡線検波を行い（ステップＳ１２）、サンプリングタイミングを設定する（ステップＳ１３）。
【０１２２】
そうすると、アクセスポイント２０のウェイクアップ信号受信機２７は、受信電波をサンプリングしてサンプリング値ｘ（２ｎ−１），ｘ（２ｎ）を検出するとともに、サンプリング値ｘ（２ｎ−１），ｘ（２ｎ）を量子化する。即ち、アクセスポイント２０のウェイクアップ信号受信機２７は、Ａ／Ｄ変換を行う（ステップＳ１４）。
【０１２３】
そして、アクセスポイント２０のウェイクアップ信号受信機２７は、サンプリング値ｘ（２ｎ−１），ｘ（２ｎ）、またはサンプリング値ｘ（２ｎ−１），ｘ（２ｎ）および量子化値／ｘ（２ｎ−１），／ｘ（２ｎ）を用いて、上述した方法によって、ウェイクアップ信号ＷＫと無線ＬＡＮによる信号とを識別する（ステップＳ１５）。
【０１２４】
また、アクセスポイント２０のウェイクアップ信号受信機２７は、ステップＳ１５と並行して、受信電波を復号して得られた識別情報（＝ウェイクアップＩＤ）がアクセスポイント２０の識別情報に一致するか否かを判定する（ステップＳ１６）。
【０１２５】
そして、アクセスポイント２０のウェイクアップ信号受信機２７は、受信電波がウェイクアップ信号ＷＫであり、かつ、受信電波を復号して得られた識別情報がアクセスポイント２０の識別情報に一致するか否かを判定する（ステップＳ１７）。
【０１２６】
ステップＳ１７において、受信電波がウェイクアップ信号ＷＫであり、かつ、受信電波を復号して得られた識別情報がアクセスポイント２０の識別情報に一致すると判定されたとき、アクセスポイント２０のウェイクアップ信号受信機２７は、ウェイクアップ指示信号Ｗｕ＿ｃｏｍｄを電源２５へ出力し（ステップＳ１８）、電源２５は、ウェイクアップ指示信号Ｗｕ＿ｃｏｍｄに応じて、電力を無線ＬＡＮカード２２、ＣＰＵ２３およびネットワーク接続カード２４に供給する。これによって、アクセスポイント２０は、スリープ状態から起動状態へ移行する。
【０１２７】
そして、ステップＳ１７において、受信電波がウェイクアップ信号ＷＫでない、または、受信電波を復号して得られた識別情報がアクセスポイント２０の識別情報に一致しないと判定されたとき、またはステップＳ１８の後、一連の動作は、終了する。
【０１２８】
上述したように、端末装置１０は、アクセスポイント２０の識別情報（例えば、１１００１）をマンチェスター符号化したビット列“０１０１１０１００１”を生成し、ビット列“０１０１１０１００１”において“０”が連続するオフ期間に対応するウェイクアップ信号ＷＫのオフ期間（＝Ｔ１）が無線通信方式（ＩＥＥＥ８０２．１１）における最短のアイドル判定時間（例えば、ＰＩＦＳ）よりも短くなる伝送レートで電波を送信する。
【０１２９】
その結果、ウェイクアップ信号ＷＫの送信中に無線ＬＡＮによる信号が送信されることはなく、ウェイクアップ信号ＷＫは、アクセスポイント２０へ正確に伝送される。また、アクセスポイント２０は、ウェイクアップ信号ＷＫからなる電波を正確に受信し、端末装置１０から送信されたウェイクアップ信号ＷＫを検知する。
【０１３０】
従って、ウェイクアップ信号の誤検知を抑制できる。
【０１３１】
また、アクセスポイント２０は、受信電波に基づいてウェイクアップ信号ＷＫと無線ＬＡＮによる信号とを識別し、受信電波がウェイクアップ信号ＷＫであると識別した場合にウェイクアップ信号ＷＫを検知する。
【０１３２】
従って、アクセスポイント２０において、ウェイクアップ信号ＷＫの誤検知を抑制できる。
【０１３３】
更に、端末装置１０は、チャープ拡散スペクトルＣＳＳによって周波数の拡散制御を行ってキャリア信号ＣＹＳを生成し、その生成したキャリア信号ＣＹＳを用いてウェイクアップ信号ＷＫをアクセスポイント２０へ送信する。
【０１３４】
従って、送信波のスペクトル密度および帯域幅が無線通信規制を満たすことができる。
【０１３５】
図１０は、図４に示すウェイクアップ信号受信機２７の他の構成図である。この発明の実施の形態においては、図４に示すウェイクアップ信号受信機２７は、図１０に示すウェイクアップ信号受信機２７Ａからなっていてもよい。
【０１３６】
図１０を参照して、ウェイクアップ信号受信機２７Ａは、図５に示すウェイクアップ信号受信機２７の識別手段２７５および判定手段２７６をそれぞれ識別手段２７５Ａおよび判定手段２７６Ａに代えたものであり、その他の構成は、ウェイクアップ信号受信機２７と同じである。
【０１３７】
ウェイクアップ信号受信機２７Ａにおいては、ＢＰＦ２７１、包絡線検波手段２７２、タイミング設定手段２７３、Ａ／Ｄ変換器２７４および識別手段２７５Ａは、常時、電源２６から電力を供給されており、判定手段２７６Ａは、ウェイクアップ信号ＷＫが検知されるまで、電源２６から電力を供給されない。即ち、ＢＰＦ２７１、包絡線検波手段２７２、タイミング設定手段２７３、Ａ／Ｄ変換器２７４および識別手段２７５Ａは、常時、起動状態であり、判定手段２７６Ａは、ウェイクアップ信号ＷＫが検知されるまでスリープ状態である。
【０１３８】
識別手段２７５Ａは、受信電波の量子化値／ｘ（２ｎ−１），／ｘ（２ｎ）またはサンプリング値ｘ（２ｎ−１），ｘ（２ｎ）をＡ／Ｄ変換器２７４から受ける。
【０１３９】
そして、識別手段２７５Ａは、上述した識別方法１〜識別方法３のいずれかの方法を用いて受信電波がウェイクアップ信号ＷＫであるか無線ＬＡＮによる信号であるかを識別する。
【０１４０】
識別手段２７５Ａは、受信電波がウェイクアップ信号ＷＫであると識別したとき、判定手段２７６Ａを起動するための起動信号ＰＯＮを生成し、その生成した起動信号ＰＯＮを電源２６へ出力する。そして、電源２６は、識別手段２７５Ａからの起動信号ＰＯＮに応じて判定手段２７６Ａへ電力を供給する。
【０１４１】
これによって、判定手段２７６Ａは、起動し、Ａ／Ｄ変換器２７４から受けた受信電波のサンプリング値ｘ（２ｎ−１），ｘ（２ｎ）または受信電波の量子化値／ｘ（２ｎ−１），／ｘ（２ｎ）に基づいて、受信電波に含まれる識別情報を復号し、その復号した識別情報がアクセスポイント２０の識別情報に一致するか否かを判定する。
【０１４２】
なお、判定手段２７６Ａは、量子化値／ｘ（２ｎ−１），／ｘ（２ｎ）に基づいて識別情報を復号する場合、上述した復号方法１を用い、受信電波のサンプリング値ｘ（２ｎ−１），ｘ（２ｎ）に基づいて識別情報を復号する場合、上述した復号方法２を用いる。
【０１４３】
判定手段２７６Ａは、受信電波に含まれる識別情報がアクセスポイント２０の識別情報に一致すると判定したとき、ウェイクアップ指示信号Ｗｕ＿ｃｏｍｄを電源２５へ出力する。これによって、電源２５は、無線ＬＡＮカード２２、ＣＰＵ２３およびネットワーク接続カード２４へ電力を供給し、アクセスポイント２０は、スリープ状態から起動状態へ移行する。
【０１４４】
図１１は、図１に示す無線通信システム１００の動作を説明するための他のフローチャートである。
【０１４５】
図１１に示すフローチャートは、図９に示すフローチャートのステップＳ１５〜ステップＳ１８をステップＳ１９〜ステップＳ２３に代えたものであり、その他の部分は、図９に示すフローチャートと同じである。
【０１４６】
また、図１１に示すフローチャートは、アクセスポイント２０が図１０に示すウェイクアップ信号受信機２７Ａを備える場合の無線通信システム１００の動作を説明するためのフローチャートである。
【０１４７】
図１１を参照して、一連の動作が開始されると、上述したステップＳ１〜ステップＳ１４が順次実行される。
【０１４８】
そして、ステップＳ１４の後、アクセスポイント２０のウェイクアップ信号受信機２７Ａにおいて、識別手段２７５Ａは、上述した識別方法１〜識別方法３のいずれかを用いてウェイクアップ信号ＷＫと無線ＬＡＮによる信号とを識別する（ステップＳ１９）。
【０１４９】
そして、識別手段２７５Ａは、受信電波がウェイクアップ信号ＷＫであるか否かを判定する（ステップＳ２０）。
【０１５０】
ステップＳ２０において、受信電波がウェイクアップ信号ＷＫであると判定されたとき、識別手段２７５Ａは、起動信号ＰＯＮを生成して電源２６へ出力し、電源２６は、起動信号ＰＯＮに応じて電力を判定手段２７６Ａへ供給する（ステップＳ２１）。
【０１５１】
そして、判定手段２７６Ａは、電源２６からの電力によって起動し、受信電波を復号して得られた識別情報がアクセスポイント２０の識別情報に一致するか否かを判定する（ステップＳ２２）。
【０１５２】
ステップＳ２２において、受信電波を復号して得られた識別情報がアクセスポイント２０の識別情報に一致すると判定されたとき、判定手段２７６Ａは、ウェイクアップ指示信号Ｗｕ＿ｃｏｍｄを電源２５へ出力し（ステップＳ２３）、電源２５は、ウェイクアップ指示信号Ｗｕ＿ｃｏｍｄに応じて、電力を無線ＬＡＮカード２２、ＣＰＵ２３およびネットワーク接続カード２４に供給する。これによって、アクセスポイント２０は、スリープ状態から起動状態へ移行する。
【０１５３】
そして、ステップＳ２０において、受信電波がウェイクアップ信号ＷＫでないと判定されたとき、またはステップＳ２２において、受信電波を復号して得られた識別情報がアクセスポイント２０の識別情報に一致しないと判定されたとき、またはステップＳ２３の後、一連の動作は、終了する。
【０１５４】
上述したように、ウェイクアップ信号受信機２７Ａにおいては、判定手段２７６Ａは、識別手段２７５Ａによって受信電波がウェイクアップ信号ＷＫであると識別されると、起動する。
【０１５５】
従って、アクセスポイント２０がウェイクアップ信号受信機２７を備える場合よりも更に消費電力を低減できる。
【０１５６】
その他、アクセスポイント２０がウェイクアップ信号受信機２７を備える場合と同様の効果が得られる。
【０１５７】
図１２は、この発明の実施の形態による他の無線通信システムの概略図である。この発明の実施の形態による無線通信システムは、図１２に示す無線通信システム２００であってもよい。
【０１５８】
図１２を参照して、無線通信システム２００は、端末装置１０と、アクセスポイント（ＡＰ）２０１〜２１０とを備える。
【０１５９】
アクセスポイント（ＡＰ）２０１〜２１０は、メッシュ状に配置される。そして、アクセスポイント（ＡＰ）２０１は、有線ケーブル２３０を介してゲートウェイ２２０に接続される。ゲートウェイ２２０は、有線ケーブル２４０を介してネットワーク３０に接続される。
【０１６０】
アクセスポイント（ＡＰ）２０１は、ゲートウェイ２２０と、アクセスポイント（ＡＰ）２０２（またはアクセスポイント（ＡＰ）２０６）との間で通信を行うとともに、配下の端末装置（図示せず）との間で無線通信を行う。各アクセスポイント（ＡＰ）は、ルーティングのための制御パケットを交換することで、ゲートウェイまでの最短経路となる隣接のアクセスポイント（ＡＰ）を把握している。
【０１６１】
アクセスポイント（ＡＰ）２０２〜２１０の各々は、隣接する２つのアクセスポイントとの間で通信を行うとともに、配下の端末装置（図示せず）との間で無線通信を行う。
【０１６２】
端末装置１０は、例えば、アクセスポイント（ＡＰ）２０４の配下に配置される。そして、端末装置１０は、図９または図１１に示すフローチャートに従ってアクセスポイント（ＡＰ）２０４と無線通信を行う。
【０１６３】
図１３は、図１２に示すアクセスポイント２０１の構成図である。図１３を参照して、アクセスポイント（ＡＰ）２０１は、上述したアクセスポイント２０にウェイクアップ信号送信機１２を追加したものである。
【０１６４】
アクセスポイント（ＡＰ）２０１においては、ＣＰＵ２３は、アクセスポイント（ＡＰ）２０１に隣接するアクセスポイント（ＡＰ）２０２，２０６から、一定期間、パケットを受信しないとき、アクセスポイント（ＡＰ）２０２，２０６がスリープ状態であると判定する。
【０１６５】
また、アクセスポイント（ＡＰ）２０１のＣＰＵ２３は、アクセスポイント（ＡＰ）２０１の配下の端末装置または隣接する一方のアクセスポイント（ＡＰ）２０２（またはアクセスポイント（ＡＰ）２０６）によってウェイクアップされる。
【０１６６】
アクセスポイント（ＡＰ）２０２は、図１３に示すアクセスポイント（ＡＰ）２０１と同じ構成からなる。アクセスポイント（ＡＰ）２０２のＣＰＵ２３は、アクセスポイント（ＡＰ）２０２の配下の端末装置または隣接する一方のアクセスポイント（ＡＰ）２０３によってウェイクアップされると、アクセスポイント（ＡＰ）２０２に隣接する他方のアクセスポイント（ＡＰ）２０１をウェイクアップするための指示信号をウェイクアップ信号送信機１２へ出力する。
【０１６７】
アクセスポイント（ＡＰ）２０２のウェイクアップ信号送信機１２は、ＣＰＵ２３からの指示信号に応じて、上述した方法によってウェイクアップ信号ＷＫを生成して送信する。
【０１６８】
なお、図１２に示すアクセスポイント（ＡＰ）２０３〜２１０の各々も、図１３に示すアクセスポイント（ＡＰ）２０１と同じ構成からなる。
【０１６９】
再び、図１２を参照して、端末装置１０は、アクセスポイント（ＡＰ）２０１〜２１０の全てがスリープ状態である場合において、ネットワーク３０を介して通信を開始するとき、上述した方法によって、ウェイクアップ信号ＷＫを生成してアクセスポイント（ＡＰ）２０４へ送信する。
【０１７０】
アクセスポイント（ＡＰ）２０４は、端末装置１０からのウェイクアップ信号ＷＫを受信し、上述したアクセスポイント２０と同じ方法によってスリープ状態から起動状態へ移行する。
【０１７１】
その後、アクセスポイント（ＡＰ）２０４は、端末装置１０と同じ方法によってウェイクアップ信号ＷＫを生成してアクセスポイント（ＡＰ）２０３へ送信する。
【０１７２】
アクセスポイント（ＡＰ）２０３は、アクセスポイント（ＡＰ）２０４からのウェイクアップ信号ＷＫを受信し、上述したアクセスポイント２０と同じ方法によってスリープ状態から起動状態へ移行する。
【０１７３】
引き続いて、アクセスポイント（ＡＰ）２０３は、端末装置１０と同じ方法によってウェイクアップ信号ＷＫを生成してアクセスポイント（ＡＰ）２０２へ送信する。
【０１７４】
アクセスポイント（ＡＰ）２０２は、アクセスポイント（ＡＰ）２０３からのウェイクアップ信号ＷＫを受信し、上述したアクセスポイント２０と同じ方法によってスリープ状態から起動状態へ移行する。
【０１７５】
そして、アクセスポイント（ＡＰ）２０２は、端末装置１０と同じ方法によってウェイクアップ信号ＷＫを生成してアクセスポイント（ＡＰ）２０１へ送信する。
【０１７６】
アクセスポイント（ＡＰ）２０１は、アクセスポイント（ＡＰ）２０２からのウェイクアップ信号ＷＫを受信し、上述したアクセスポイント２０と同じ方法によってスリープ状態から起動状態へ移行する。
【０１７７】
これによって、スリープ状態であったアクセスポイント（ＡＰ）２０１〜２０４は、起動状態へ移行する。
【０１７８】
従って、端末装置１０は、アクセスポイント（ＡＰ）２０１〜２０４、ゲートウェイ２２０およびネットワーク３０を介して通信を行うことができる。
【０１７９】
アクセスポイント（ＡＰ）２０４以外のアクセスポイント（ＡＰ）２０２，２０３，２０５〜２１０の配下に配置された端末装置も、上述した方法によって、自己が所属するアクセスポイントからアクセスポイント（ＡＰ）２０１までの経路上に存在する全てのアクセスポイントをスリープ状態から起動状態へ移行させ、その起動状態へ移行させたアクセスポイント、ゲートウェイ２２０およびネットワーク３０を介して通信を行うことができる。
【０１８０】
このように、アクセスポイント（ＡＰ）２０１〜２１０がメッシュ状に配置された無線通信システム２００において、アクセスポイント（ＡＰ）２０１〜２１０がスリープ状態であっても、各アクセスポイント（ＡＰ）２０１〜２１０の配下に配置された端末装置は、自己が所属するアクセスポイントをウェイクアップし、そのウェイクアップしたアクセスポイントがゲートウェイ２２０の方向に存在するアクセスポイントを順次ウェイクアップすることによってネットワーク３０を介して通信を行うことができる。
【０１８１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１８２】
この発明は、端末装置、それと無線通信を行う無線装置、およびそれらを備えた無線通信システムに適用される。
【符号の説明】
【０１８３】
１０  端末装置、１１，２１  アンテナ、１２  ウェイクアップ信号送信機、１３，２２  無線ＬＡＮカード、１４  ＣＰＵ／表示部、１５，２５，２６  電源、２０，２０１〜２１０  アクセスポイント、２３  ＣＰＵ、２４  ネットワーク接続カード、２７，２７Ａ  ウェイクアップ信号受信機、３０  ネットワーク、４０，２３０，２４０  有線ケーブル、１００，２００  無線通信システム、１２１  ＩＤ生成手段、１２２  演算手段、１２３  オン／オフ制御手段、１２４  周波数拡散手段、１２５  乗算器、１２６  増幅手段、１２７  送信手段、２２０  ゲートウェイ、２７１  ＢＰＦ、２７２  包絡線検波手段、２７３  タイミング設定手段、２７４  Ａ／Ｄ変換器、２７５，２７５Ａ  識別手段、２７６，２７６Ａ  判定手段。
【図１】
0005391460.tif 000007
【図２】
0005391460.tif 000008
【図３】
0005391460.tif 000009
【図４】
0005391460.tif 000010
【図５】
0005391460.tif 000011
【図６】
0005391460.tif 000012
【図７】
0005391460.tif 000013
【図８】
0005391460.tif 000014
【図９】
0005391460.tif 000015
【図１０】
0005391460.tif 000016
【図１１】
0005391460.tif 000017
【図１２】
0005391460.tif 000018
【図１３】
0005391460.tif 000019